(57)【要約】【課題】単純な文字列であれば、他人でも外向き面側から容易に読み取れてしまうという問題があった。また、内向き面側に文字列を形成するような場合であっても、指輪を外して放置したときに、他人から文字列を見られるということを想定する必要があった。【解決手段】内向き面と外向き面とを有する指輪であって、前記内向き面または外向き面の少なくとも一方に正規表示に対応する鏡映記号が１つ以上形成されたこと。【選択図】図１
2010131362.tif 000002
【特許請求の範囲】
【請求項１】
内向き面と外向き面とを有する指輪であって、前記内向き面または外向き面の少なくとも一方に正規表示に対応する鏡映記号が１つ以上形成されたことを特徴とする指輪。
【請求項２】
前記内向き面と外向き面との間に側面を有する指輪であって、前記側面には前記鏡映記号に連続する他の鏡映記号が１つ以上形成されたことを特徴とする請求項１に記載の指輪。
【請求項３】
前記内向き面には、前記鏡映記号が１つ以上形成された第１領域と、該第１領域に対向する位置に形成され、前記鏡映記号の正規表示が反射像として映し出される第２領域と、を有することを特徴とする請求項１に記載の指輪。
【請求項４】
前記正規表示と前記鏡映記号とは、記号の配列順序が反対となることを特徴とする請求項３に記載の指輪。
【請求項５】
前記第１領域の中央部から両端部にかけて前記鏡映記号の幅を変化させたことを特徴とする請求項３または４に記載の指輪。
【請求項６】
前記第１領域の中央部から両端部にかけて前記鏡映記号の太さを変化させたことを特徴とする請求項３または４に記載の指輪。
【請求項７】
前記第１領域の中央部から両端部にかけて前記鏡映記号の間隔を変化させたことを特徴とする請求項３または４に記載の指輪。
【請求項８】
前記第２領域を他の内向き面よりも平坦な面としたことを特徴とする請求項３〜７のいずれかに記載の指輪。
【請求項９】
前記第２領域を他の内向き面よりも曲率半径の小さい凸状面としたことを特徴とする請求項３〜７のいずれかに記載の指輪。
【請求項１０】
前記外向き面上には鏡映記号が１つ以上形成されており、該鏡映記号の輪郭の内側に位置する第一領域と鏡映記号の輪郭の外側に位置する第二領域とを有し、可視光の波長範囲における前記第一領域での平均反射率をＡ、前記第二領域での平均反射率をＢとしたとき、｜Ａ−Ｂ｜≧７０％であることを特徴とする請求項１に記載の指輪。
【請求項１１】
前記第一領域を平面度０．１ｍｍ以下の平面上に有したことを特徴とする請求項１０に記載の指輪。
【請求項１２】
前記第一領域を曲率半径１〜５ｍｍの凸状曲面上に有したことを特徴とする請求項１０または１１に記載の指輪。
【請求項１３】
前記第一領域を浮き彫りとしたことを特徴とする請求項１０〜１２のいずれかに記載の指輪。
【請求項１４】
前記第一領域を溝としたことを特徴とする請求項１０〜１２のいずれかに記載の指輪。
【請求項１５】
請求項１〜１４に記載の指輪にチェーンを通してなることを特徴とするペンダント。
【発明の詳細な説明】
【技術分野】
【０００１】
本発明は指輪表面に記号を有する指輪及びそれを用いたペンダントに関するものである。
【背景技術】
【０００２】
マリッジリングなどの記念性のある指輪には、文字等の記号を彫刻することが一般に行なわれている。また、この記号を目立たせ且つデザイン性を出すために、例えば文字列を指輪の外向き面に彫刻することが行なわれている。
【０００３】
しかしながら、文字列が目立ち過ぎることは、プライペートな内容の文字列等を彫刻した場合、他人に読み取られる可能性が高くなる。
【０００４】
そのため、例えば外向き面から側面にかけて文字列等を刻設し、文字列の上部を外向き面に、下部を側面に配置させることで、指輪を着けている使用者だけが、その文字列を容易に読み取ることができるようにすることを実現したものがある（特許文献１参照）。
【先行技術文献】
【特許文献】
【０００５】
【特許文献１】特開２００４−８１３６７号公報
【発明の概要】
【発明が解決しようとする課題】
【０００６】
しかしながら、特許文献１の発明においても、単純な文字列であれば、他人でも外向き面側から容易に読み取れてしまうという問題があった。
【０００７】
また、内向き面側に文字列を形成するような場合であっても、指輪を外して放置したときに、他人から文字列を見られるということを想定する必要があった。
【課題を解決するための手段】
【０００８】
上記に鑑みて本発明の一実施形態は、内向き面と外向き面とを有する指輪であって、前記内向き面または外向き面の少なくとも一方に正規表示に対応する鏡映記号が１つ以上形成されたことを特徴とする。
【０００９】
さらに、前記内向き面と外向き面との間に側面を有する指輪であって、前記側面には前記鏡映記号に連続する他の鏡映記号が１つ以上形成されたことを特徴とする。
【００１０】
さらに、前記内向き面には、前記鏡映記号が１つ以上形成された第１領域と、該第１領域に対向する位置に形成され、前記鏡映記号の正規表示が反射像として映し出される第２領域と、を有することを特徴とする。
【００１１】
さらに、前記正規表示と前記鏡映記号とは、記号の配列順序が反対となることを特徴とする。
【００１２】
さらに、前記第１領域の中央部から両端部にかけて前記鏡映記号の幅を変化させたことを特徴とする。
【００１３】
また、前記第１領域の中央部から両端部にかけて前記鏡映記号の太さを変化させたことを特徴とする。
【００１４】
また、前記第１領域の中央部から両端部にかけて前記鏡映記号の間隔を変化させたことを特徴とする。
【００１５】
さらに、前記第２領域を他の内向き面よりも平坦な面としたことを特徴とする。
【００１６】
また、前記第２領域を他の内向き面よりも曲率半径の小さい凸状面としたことを特徴とする。
【００１７】
また、前記外向き面上には鏡映記号が１つ以上形成されており、該鏡映記号の輪郭の内側に位置する第一領域と鏡映記号の輪郭の外側に位置する第二領域とを有し、可視光の波長範囲における前記第一領域での平均反射率をＡ、前記第二領域での平均反射率をＢとしたとき、｜Ａ−Ｂ｜≧７０％であることを特徴とする。
【００１８】
さらに、前記第一領域を平坦な面上に有したことを特徴とする。
【００１９】
また、前記第一領域を曲率半径１〜５ｍｍの凸状曲面上に有したことを特徴とする。
【００２０】
さらに、前記第一領域を浮き彫りとしたことを特徴とする。
【００２１】
また、前記第一領域を溝としたことを特徴とする。
【００２２】
さらに本発明の指輪を用いたペンダントにおいては、前記指輪にチェーンを通してなることを特徴とする。
【発明の効果】
【００２３】
本発明の指輪は、内向き面と外向き面とを有する指輪であって、前記内向き面または外向き面の少なくとも一方に正規表示に対応する鏡映記号が１つ以上形成されたことで、容易に他人が正規表示を読めないようにすることができる。
【００２４】
さらに、前記内向き面と外向き面との間に側面を有する指輪であって、前記側面に前記鏡映記号に連続する他の鏡映記号が１つ以上形成されたことで、さらに多方向から視ないと容易に他人が正規表示を読めないようにすることができる。
【００２５】
また、前記内向き面には、前記鏡映記号が１つ以上形成された第１領域と、該第１領域に対向する位置に形成され、前記鏡映記号の正規表示が反射像として映し出される第２領域と、を有することで、鏡映記号と、その正規表示を映す手段とを一体に付与することができる。
【００２６】
さらに、前記正規表示と前記鏡映記号とは、記号の配列順序が反対となることで、鏡映記号から正規表示を連想させづらくすることができる。
【００２７】
さらに、前記第１領域の中央部から両端部にかけて前記鏡映記号の幅を変化させたことで、正規表示がきれいに見える。
【００２８】
そしてまた、前記第１領域の中央部から両端部にかけて前記鏡映記号の太さを変化させたことで、正規表示がきれいに見える。
【００２９】
そしてまた、前記第１領域の中央部から両端部にかけて前記鏡映記号の間隔を変化させたことで、正規表示がきれいに見える。
【００３０】
さらに、前記第２領域を他の内向き面よりも平坦な面としたことで、指輪を外しても所有者だけが知りうるピンポイントの方向から、正規表示を確認することができる。
【００３１】
そしてまた、前記第２領域を他の内向き面よりも曲率半径の小さい凸状面としたことで、鏡映記号が小さかったとしても、反射像として映し出される正規表示を拡大して見ることができる。
【００３２】
また、前記外向き面上には鏡映記号が１つ以上形成されており、該鏡映記号の輪郭の内側に位置する第一領域と鏡映記号の輪郭の外側に位置する第二領域とを有し、可視光の波長範囲における前記第一領域での平均反射率をＡ、前記第二領域での平均反射率をＢとしたとき、｜Ａ−Ｂ｜≧７０％であることで、正規表示を投影することができる。
【００３３】
さらに、前記第一領域を平面度０．１ｍｍ以下の平面上に有したことで、近接した部分に正規表示を投影することができる。
【００３４】
また、前記第一領域を曲率半径１〜５ｍｍの凸状曲面上に有したことで、正規表示を拡大して投影することができる。
【００３５】
さらに、前記第一領域を浮き彫りとしたことで、細くて小さい正規表示を明瞭に投影することができる。
【００３６】
また、前記第一領域を溝としたことで、太くて大きい正規表示を明瞭に投影することができる。
【００３７】
また本発明のペンダントは、前記指輪にチェーンを通してなることができる。
【図面の簡単な説明】
【００３８】
【図１】本発明の指輪の第一実施形態を示す斜視図である。
【図２】本発明の指輪の第二実施形態を示す斜視図である。
【図３】（ａ）は本発明の指輪の第三実施形態における３面図、（ｂ）は第２領域の表面図、（ｃ）は第１領域の表面図である。
【図４】本発明の指輪の第三実施形態における第１領域の鏡映記号と第２領域の反射像との関係を示す模式図である。
【図５】本発明の指輪の第三実施形態における第１領域の鏡映記号と第２領域の反射像との関係を示す模式図、（ｂ）は第２領域の表面図、（ｃ）は第１領域の表面図である。
【図６】本発明の指輪の第三実施形態における第１領域の鏡映記号と第２領域の反射像との関係を示す模式図である。
【図７】（ａ）は本発明の指輪の第三実施形態における他の実施例の側面図、（ｂ）は第２領域の断面図、（ｃ）は第２領域の表面図である。
【図８】（ａ）は本発明の指輪の第三実施形態における他の実施例の側面図、（ｂ）は第２領域の断面図、（ｃ）は第２領域の表面図である。
【図９】（ａ）は本発明の指輪の第四実施形態における側面図、（ｂ）はＡ−Ａ断面図、（ｃ）は投影された模式図である。
【図１０】（ａ）は本発明の指輪の第四実施形態における他の実施例の側面図、（ｂ）はＡ−Ａ断面図、（ｃ）は投影された模式図である。
【図１１】（ａ）は本発明の指輪の第四実施形態における正規表示、（ｂ）は（ａ）に対応する鏡映記号の模式図である。
【図１２】（ａ）は本発明の指輪の第四実施形態における鏡映記号の断面模式図、（ｂ）は本発明の指輪の他の実施形態における鏡映記号の断面模式図である。
【図１３】（ａ）は本発明の指輪の第四実施形態における反射像の視認性を評価するための評価装置であり、（ｂ）は図４（ａ）、（ｃ）は図４（ｂ）に対応する反射像である。
【図１４】本発明の指輪の第四実施形態における測定ポイントを説明する模式図である。
【発明を実施するための形態】
【００３９】
以下、本発明の一実施形態について説明をする。
【００４０】
本発明の第一実施形態は、内向き面と外向き面とを有する指輪であって、前記内向き面または外向き面の少なくとも一方に正規表示に対応する鏡映記号が１つ以上形成されたことで、容易に他人が正規表示を読めないようにすることができる。
【００４１】
本発明の第一実施形態である図１のような指輪１において、外向き面３ｂと内向き面３ａにそれぞれ個別に鏡映記号４（図１では模式的に表示）が形成されている。
【００４２】
このような鏡映記号は鏡や平滑なテーブル面などの反射物を介して視る事で、正規表示として視認することができる。
【００４３】
ここで正規表示とは、言葉の意味をなす文字として認識できるものである。また、鏡映文字とは、前記正規表示を裏表反対にしたもの、すなわち正規表示を鏡に映した状態のものである。また、本願では文字を対象として説明するが、文字に限らず広く記号全般が対象となる。
【００４４】
つぎに、本発明の第二実施形態は、前記内向き面と外向き面との間に側面を有する指輪であって、前記側面に前記鏡映記号に連続する他の鏡映記号が１つ以上形成されたことで、これが連続した記号列であれば、多方向から視ないと容易に他人が正規表示を読めないようにすることができる。たとえば、図２のような指輪１において、外向き面３ｂと内向き面３ａの鏡映記号４を繋げるようにして側面にも鏡映記号４（図２では模式的に表示）が形成されている。このような鏡映記号４は鏡などの反射物を介して内向き面３ａ、側面３ｃ、外向き面３ｂと順に視る事で、正規表示５として視認することができる。
【００４５】
つぎに、本発明の第三実施形態は、内向き面と外向き面とを有する指輪であって、前記内向き面には、前記鏡映記号が１つ以上形成された第１領域と、該第１領域に対向する位置に形成され、前記鏡映記号の正規表示が反射像として映し出される第２領域と、を有することで、鏡映記号と、その正規表示を映す手段とを一体に付与することができるようにしたものである。
【００４６】
本発明の第三実施形態である図３（ａ）の３面図のような指輪１において、図３（ｂ）に示された鏡映記号４の反射像５が映しだされた第２領域２ｂ、図３（ｃ）に示された鏡映記号４を形成した第１領域２ａとして示す。
【００４７】
これは本発明の第三実施形態の一実施例である図４に示されるように（以下、図中の点線は光路である）、外側から鏡映記号４が認識されないようにするため、領域２すなわち、第１領域２ａに鏡映記号４全体を形成した指輪１であって、これを指から外している場合であっても、第２領域２ｂに鏡映記号４が反射像５として映し出されない限り、容易に文字として認識できないようになっている。
【００４８】
さらに本発明の第三実施形態では、前記正規表示と前記鏡映記号とは、記号の配列順序が反対となることが好ましい。
【００４９】
これは指輪１の形状が本発明の第三実施形態の他の実施例である図５のような平行光の場合に適用されるものであり、鏡映記号４の文字並びが逆方向になることによって（不図示）、鏡映記号４の文字並びから反射像５である正規表示５を連想させづらくすることができる。
【００５０】
さらに本発明の第三実施形態では、前記記号列の中央部から両端部にかけて前記鏡映記号の幅を変化させることが好ましい。
【００５１】
本発明の第三実施形態が図５のような平行光の場合であれば問題ないが、図６のような収束光の場合では焦点深度の影響で、各反射像５の中央部から両端部にかけて幅Ｗ２が広く映ってしまう。そのため予め鏡映記号４の幅Ｗ１を中央部から両端部にかけて狭くなるように変化させておけば整った反射像５を得ることができる。
【００５２】
さらに本発明の第三実施形態では、前記記号列の中央部から両端部にかけて前記鏡映記号の太さを変化させることが好ましい。
【００５３】
指輪１の形状が図５のような平行光の場合であれば問題ないが、例えば図６のような収束光の場合では焦点深度の影響で、各反射像５の中央部から両端部にかけて太さＤ２が太く映ってしまう。そのため予め鏡映記号４の太さＤ１を中央部から両端部にかけて狭くなるように変化させておけば整った反射像５を得ることができる。
【００５４】
さらに本発明の第三実施形態では、前記記号列の中央部から両端部にかけて前記鏡映記号の間隔を変化させることが好ましい。
【００５５】
指輪１の形状が図５のような平行光の場合であれば問題ないが、例えば図６のような収束光の場合では焦点深度の影響で、各反射像５の中央部から両端部にかけて間隔Ｐ２が広く映ってしまう。そのため予め鏡映記号４の間隔Ｐ１を中央部から両端部にかけて狭くなるように変化させておけば整った反射像５を得ることができる。
【００５６】
さらに本発明の第三実施形態では、前記第２領域を他の内向き面よりも平坦な鏡面とすることが好ましい。
【００５７】
これにより、指輪１を外しても所有者だけが認識しているある特定の方向から鏡映記号４の反射像５を確認できる。例えば第２領域２ｂに鏡映記号４が反射像５として入りうる視野角度が限られ、さらに他の内向き面２ａには反射像５が映らないような場合であり、図７（ａ）におけるＡ−Ａ断面図である図７（ｂ）の第２領域２ｂは、表面粗さの小さい平坦な面であり、他の内向き面２ａは表面粗さが大きい面であり、特定の方向からは図７（ｃ）のように反射像５が映って見えるが、他人からは視認されづらくなる。
【００５８】
また本発明の第三実施形態では、前記第２領域を他の内向き面よりも曲率半径の小さい凸状面とすることが好ましい。
【００５９】
これにより、記号をある特定の方向で拡大して見ることができる。例えば図８（ａ）におけるＢ−Ｂ断面図である図８（ｂ）のように第２領域２ｂが凸状面である場合、図８（ｃ）のように反射像５を拡大することができるので視認し易くすることができる。
【００６０】
以上の鏡映記号４は刻設された溝によるものに限定されず、逆に、鏡映記号４が浮き彫りになったものであっても同様の効果がある。あるいは、鏡映記号４をマスキングとメッキにて形成しても同様の効果がある。
【００６１】
さらに本発明の指輪を用いたペンダントにおいては、前記指輪にチェーンを通してなるものであり、指輪と同様の効果を奏するものである。
【００６２】
つぎに、本発明の第四実施形態は、外向き面を有する指輪であって、前記外向き面上には鏡映記号が１つ以上形成されており、該鏡映記号の輪郭の内側に位置する第一領域と鏡映記号の輪郭の外側に位置する第二領域とを有し、可視光の波長範囲における前記第一領域での平均反射率をＡ、前記第二領域での平均反射率をＢとしたとき、｜Ａ−Ｂ｜≧７０％であることで、前記鏡映記号４の正規表示５が反射像として映し出されることを可能にしたものである。
【００６３】
前記第一領域での平均反射率に対する前記第二領域での平均反射率の比は小さいほど望ましいが、１００：１〜２：１の範囲がコントラストとして適当である。
【００６４】
鏡映記号４を反射投影させる対象は、暗闇であれば壁や机上などの平面に対して可能である。
【００６５】
鏡映記号４及び周囲の外向き面３ｂの反射率は、算術表面粗さを大きくあるいは小さくすることで、反射率を制御することができるが、鏡映記号４自体を指輪１の母材とは全く別の黒体材料にすることでも可能である。
【００６６】
ここで可視光の反射率とは、波長３６０ｎｍ〜８３０ｎｍでの光の反射率を積分したものである。反射率の測定方法としてはＪＩＳ−Ｒ−３１０６に準じていれば再現性ある結果を得ることができ、例えば日本分光社製カー効果測定器を使用して波長３６０ｎｍ〜８３０ｎｍでの反射率を測定して積分して平均反射率を求めてもよい。
【００６７】
サンプルは現物ベースで測定し、測定ビームはスリットでスポット径の調節をして鏡映記号４上から外れないように照射、同様の条件でその他の外向き面３ｂにも測定ビームを照射する。
【００６８】
さらに本発明の第四実施形態では、前記第一領域を平面度０．１ｍｍ以下の平面上に有したことで、近接した部分に正規表示５を投影することができる。これは細かい正規表示５を近接した場所に投影する場合に有効である。
【００６９】
例えば図９（ａ）のように、指輪１の外向き面３ｂ（内向き面３ａとは背反）の一部が平面になっており、この平面にＡ−Ａ断面図である図９（ｂ）のように光を当てると、図９（ｃ）のように正規表示５が投影される。
【００７０】
ここで平面度の測定は、エスオーエル株式会社製のレーザー斜入射干渉方式  平面度測定解析装置  FlatMasterで、第一領域全体を測定することで求めることができる。
【００７１】
さらに本発明の第四実施形態では、前記第一領域を曲率半径１〜５ｍｍの凸状曲面上に有したことで、正規表示５を拡大して投影することができる。これは大きな正規表示５を離れた場所に投影する場合に有効である。
【００７２】
例えば図１０（ａ）のように、指輪１の外向き面３ｂ（内向き面３ａとは背反）の一部が凸状面になっており、この凸状面にＢ−Ｂ断面図である図１０（ｂ）のように光を当てると、図１０（ｃ）のように正規表示５が広がって投影される。
【００７３】
ここで曲率半径の測定は平面度と同様に、エスオーエル株式会社製のレーザー斜入射干渉方式  平面度測定解析装置  FlatMasterを用いて使用し、第一領域全体を測定することで求めることができる。
【００７４】
なお、ここで改めて説明しておくと、図１１（ａ）は正規表示５であり、図１１（ｂ）は正規表示５に対応する鏡映記号４という関係である。
【００７５】
さらに本発明の第四実施形態では、前記第一領域を浮き彫りにしたものであることで、細く小さい正規表示５を明瞭に投影することができる。これは正規表示５が投影されたときに正規表示５が明るい光の像で現れ易いからであり、正規表示５が細かいときに有効である。例えば図１２（ａ）のように、第一領域が鏡映記号（浮き彫り）７となっているような場合である。
【００７６】
さらに本発明の第四実施形態では、前記第一領域を溝にしたものであることで、太くて大きい正規表示５を明瞭に投影することができる。これは投影された正規表示５の輪郭が明るい光で縁取りされ易いからであり、正規表示５が太いときに有効である。例えば図１２（ｂ）のように、第二領域とは異なる部分が鏡映記号（溝）８となっているような場合である。ここで、溝８は表面が粗く鏡面ではないこと、あるいは、溝８を反射率の低い材料で覆うことが望ましい。
【００７７】
なお、本発明の第四実施形態の指輪においては、壁などに反射投影させなくても、鏡などに映して正規表示５を楽しむこともできる。
【００７８】
また、本発明の第四実施形態の指輪においては、前記第一領域または第二領域での平均反射率は、鏡映記号４の輪郭近傍部分だけが満たされている場合でも、本発明の効果を奏することができるものである。
【００７９】
また、本発明の指輪においては、鏡映記号４は、左右対称の記号で全体が占められている場合、正規表示５と同じになるので、本発明の効果を必ずしも奏するものではない。
【００８０】
つぎに本発明の指輪の製造方法の一実施形態を説明する。
【００８１】
鍛造した材料は叩かれて板状となっており、それを指輪１よりやや大きい大きさと形状に打ち抜き、プレス・切削加工によって製品形状に加工する。あるいは、原型をゴム型抜きし、ゴム型にワックスを注入、原型と同形状になったワックスを取り出して、石膏で型取り、ワックスを熱で溶融・気化させて除去し、石膏型に溶融した地金（金・プラチナなど）を流し込んで冷却して原型と同形状の製品を形成することもできる。
【００８２】
鏡面加工は、電解研磨あるいはバレル研磨を施してからバフ研磨を行い仕上げとし、さらには、メッキ処理でより一層の鏡面が実現できる。
【００８３】
電解研磨の条件としては、液温５℃〜１５０℃、電圧１００〜２００Ｖ、電流１〜１０Ａ、処理時間は１０秒間〜３時間で設定される。バレル研磨の条件（遠心／磁気のいずれか）としては、メディア材質はアルミナ、メディアの平均直径は０．３〜１μｍ、バレル方式（湿式／乾式のいずれか）、自転回転数は１〜１０ｒｐｍ、公転回転数は１〜１０ｒｐｍ、処理時間は１０秒〜３時間で設定される。そして仕上げのバフ研磨の条件としては、バフ材質を天然繊維（木綿・麻・リンネル・羊毛・絹・カシミヤ・石綿・ガラス繊維など）、化学繊維（ポリエステル系合成繊維・ポリアミド系合成繊維・セルロース系半合成繊維・タンパク質系半合成繊維・セルロース系再生繊維・ガラス繊維・炭素繊維など）とし、バフ回転体の回転数を１０００〜４００００ｒｐｍ、研磨材にはダイヤモンド・立方晶窒化ホウ素・炭化ケイ素・アルミナコランダム・酸化クロム・酸化セリウム・酸化鉄・珪質石灰石などが用いられる。
【００８４】
指輪１の材質としては、例えば、プラチナ（Ｐｔ９５０）、１８金×３種類（ホワイトゴールド／イエローゴールド／ピンクゴールド）などが主流であるが、他に鏡面が出せる材質ならば何でも可能である。
【００８５】
指輪１に鏡映記号４を形成する方法としては、切削加工やレーザー加工さらにはメッキ加工が適当である。
【００８６】
切削加工については、回転工具を使用して記号形状に切削彫刻するやり方であり、ＮＣ加工で所定形状のプログラムを入力して切削加工すればよい。管理条件としては、工具材質は超硬合金、単結晶ダイヤモンド、焼結ダイヤモンド、立方晶窒化ホウ素、アルミナ（コランダム）、窒化ケイ素、鋼(はがね)、サーメットなどを用いる。切削工具はドリル刃であり工具回転数１００〜４００００ｒｐｍ、送り速度０．１〜１０００ｍｍ／ｓｅｃ、切り込み深さ０．０１〜１ｍｍで設定されるのが適当である。
【００８７】
レーザー加工については、レーザーを照射して所定の形状に溶融加工するやり方であり、切削加工同様に所定形状のプログラムを入力してレーザー加工すればよい。管理条件としては、溶融加工を行うレーザー発振子を電圧（パワー密度）１ｍＶ〜１００ｍＶ、パルス幅１ｆｓｅｃ〜１ｓｅｃ、パルス間隔０．００１Ｈｚ〜１００ＭＨｚに設定する。特に線の太さについてはレーザーであれば制御が容易である。
【００８８】
メッキ加工については、メッキ液はロジウム系・ルテニウム系・プラチナ系・金系・パラジウム系・銀系・銅系・ニッケル系など、電圧２００Ｖ、電流１Ａ、処理時間１秒間〜３時間で設定されるのが適当である。管理条件としては、メッキ厚は１μｍ〜数１０μｍ、メッキ材質はロジウムメッキ、マスキング方法は一般的にはマスキング樹脂を塗布してメッキしたものであり、特にマスキング部にノボラック樹脂を塗布して選択的にメッキを行うことができる。このようにマスキングを使用してメッキすることで、鏡映記号４を形成することもできる。  
【００８９】
（実施例）
以下、特に本発明の第四実施形態の指輪について実施例を説明する。  
【００９０】
（試料作成）
Ｐｔ９５０Ｐｄ５０のインゴットを用いて鍛造により指輪を作製し、電解研磨およびバフ研磨で表面仕上げし、指輪１の外向き面３ｂ上に図１１（ｂ）の鏡映記号４を一文字４ｍｍ角で、深さ０．１ｍｍ、幅１ｍｍで切削彫刻した試料を準備した。そして図１の平坦面に鏡映記号４を形成したタイプの指輪１については、鏡映記号４が図１２（ａ）のような浮き彫り７である試料番号１〜６を用意して、図２の凸状曲面に鏡映記号４を形成したタイプの指輪１については、鏡映記号４が図１２（ｂ）のような溝８である試料番号７〜１２とを用意した。
【００９１】
ここで、鏡映記号４上における算術平均表面粗さは、切削工具の表面の単結晶ダイヤモンドの粒径によって平均０．１〜１．０μｍＲａで制御し、その他の外向き面３ｂの表面の粗さは電解研磨時間で制御し、電解研磨の条件としては、液温１５０℃、電圧１００Ｖ、電流１Ａ、処理時間は１時間で設定した。  
【００９２】
（反射率測定）
平均反射率の測定方法としてはＪＩＳ−Ｒ−３１０６に準じて、日本分光社製カー効果測定器を使用して波長３６０ｎｍ〜８３０ｎｍでの反射率を追従測定して平均値を求めた。測定ビームはスリットでスポット径を０．１ｍｍ程度に調節をして鏡映記号４上から外れないように照射、同様の条件でその他の外向き面３ｂにも測定ビームを照射した。
【００９３】
第一領域の測定箇所としては記号の直上を測定すればよいが、第二領域の測定箇所としては第一領域の測定箇所に最も近接した部分を選択することが望ましく、本実施例の評価では図１４に示されるように、記号の輪郭（境界）に内側から接した測定ポイントでの反射率Ａと、外側から接した測定ポイントでの反射率Ｂとで評価した。なお平均反射率は任意の箇所を１０ポイント測定での平均になる。
【００９４】
以上の結果を表１及び表２に示す。  
【００９５】
（視認性評価）
図１３（ａ）に示す装置を用意して、外部光源９から平行光１０を幅１ｍｍのスリット１１を介して試料の外向き面３ｂに対し４５度の角度で照射して、仕切り１２を挟んで投影面１３に正規表示（反射像）５を１０ｃｍ先に投影させたものを観察し、観察者が記号を視認できた人数を記録した。
【００９６】
なお本件の評価における光の強度は、正規表示（反射像）５が最も明確に見える視認性のよい強度で実施した。
【００９７】
試料番号１〜６の結果を表１、試料番号７〜１２の結果を表２に示す。
【００９８】
【表１】
2010131362.tif 000003
【００９９】
【表２】
2010131362.tif 000004
【０１００】
表１から明らかなように、反射率の差が７０％以上ではない試料番号１，４，６では反射像が不明瞭で視認性が悪かったが、反射率の差が７０％以上である試料番号２，３，５では図１３（ｂ）のように反射像５が明らかで視認性が良かった。
【０１０１】
また表２から明らかなように、反射率の差が７０％以上ではない試料番号７，１０，１２では反射像５が不明瞭で視認性が悪かったが、反射率の差が７０％以上である試料番号８，９，１２では図１３（ｃ）のように反射像５が明らかで視認性が良かった。
【０１０２】
また次に、図１３（ａ）に示す装置を用意して、外部光源９から平行光１０を幅１ｍｍのスリット１１を介して試料の外向き面３ｂに対し４５度の角度で照射して、仕切り１２を挟んで投影面１３に正規表示（反射像）５を１０ｃｍと１ｃｍ先に投影させたものを観察し、観察者が記号を視認できた人数を記録した。
【０１０３】
なお本件の評価における光の強度は、正規表示（反射像）５が最も明確に見える視認性のよい強度で実施した。
【０１０４】
１ｃｍ先の投影面１３に投影させた試料番号１３〜１９の結果を表３、１０ｃｍ先の投影面１３に投影させた試料番号２０〜２６の結果を表４に示す。
【０１０５】
【表３】
2010131362.tif 000005
【０１０６】
【表４】
2010131362.tif 000006
【０１０７】
指輪１に彫金されるような大きさの記号に関し、投影面１３が近接した距離では平面度０．１ｍｍ以下の外向き面３ｂに彫金されると、正規表示（反射像）５が歪まずに投影されやすいので、急激に視認性が向上することが表３からわかる。また投影面１３が離れた距離では曲率半径１〜５ｍｍの外向き面３ｂに彫金されると正規表示（反射像）５が歪まずに拡大されやすいので、急激に視認性が向上することがわかる。
【符号の説明】
【０１０８】
１：指輪
２：領域
２ａ：第１領域
２ｂ：第２領域
３：指輪表面
３ａ：内向き面
３ｂ：外向き面
３ｃ：側面
４：鏡映記号
５：反射像（正規表示）
７：鏡映記号（浮き彫り）
８：鏡映記号（溝）
９：外部光源
１０：平行光
１１：スリット
１２：仕切り
１３：投影面
Ｗ１：鏡映記号の幅
Ｗ２：反射像の幅
Ｄ１：鏡映記号の太さ
Ｄ２：反射像の太さ
Ｐ１：鏡映記号の間隔
Ｐ２：反射像の間隔
【図１】
2010131362.tif 000007
【図２】
2010131362.tif 000008
【図３】
2010131362.tif 000009
【図４】
2010131362.tif 000010
【図５】
2010131362.tif 000011
【図６】
2010131362.tif 000012
【図７】
2010131362.tif 000013
【図８】
2010131362.tif 000014
【図９】
2010131362.tif 000015
【図１０】
2010131362.tif 000016
【図１１】
2010131362.tif 000017
【図１２】
2010131362.tif 000018
【図１３】
2010131362.tif 000019
【図１４】
2010131362.tif 000020